(57)【要約】【課題】  テストチャートをカメラで撮影して獲得された２次元映像を用いてラインプロファイルを生成し、これを用いてディスプレイ映像のラインアーチファクトを補償するルックアップテーブルを生成することにより、映像の画質を向上させることが可能な、光変調器における変位差を補償するためのラインプロファイルを生成する方法及び装置を提供する。【解決手段】  一定の階調間隔で配列された所定の個数のパッチからなるテストチャートを設計する段階と、前記設計されたテストチャートを１次元光変調器で表示し、前記表示されたテストチャートをカメラで撮影して２次元映像を獲得する段階と、前記２次元映像を多数の領域に分割し、前記分割された領域の水平ライン毎に光強度の平均値を算出する段階と、前記算出された平均値を用いて前記各水平ラインに対してラインプロファイルを生成する段階とを含む。【選択図】  図２
2007334349.tif 000002
【特許請求の範囲】
【請求項１】
ディスプレイされたテストチャートを撮影して獲得された２次元映像を多数の領域に分割し、前記分割された領域の水平ライン毎に光強度の平均値を算出する段階、および
前記算出された平均値を用いて前記各水平ラインに対してラインプロファイルを生成する段階とを含むことを特徴とする、光変調器における変位差を補償するためのラインプロファイルを生成する方法。
【請求項２】
前記平均値を算出する段階以前に、
一定の階調間隔で配列された所定個数のパッチで構成されるテストチャートを設計する段階とをさらに含むことを特徴とする、請求項１に記載の光変調器における変位差を補償するためのラインプロファイルを生成する方法。
【請求項３】
前記設計する段階は、
前記テストチャートを構成する前記パッチの階調別位置による影響が排除されるように前記パッチがランダムに配列されるように前記テストチャートを修正する段階をさらに含むことを特徴とする、請求項２に記載の光変調器における変位差を補償するためのラインプロファイルを生成する方法。
【請求項４】
前記設計されたテストチャートを１次元光変調器にディスプレイし、前記ディスプレイされたテストチャートをカメラで撮影し２次元映像を獲得する段階をさらに含むことを特徴とする、請求項２に記載の光変調器における変位差を補償するためのラインプロファイルを生成する方法。
【請求項５】
前記２次元映像を獲得する段階は、
前記テストチャートを表示する過程でディスプレイ素子の駆動電圧を調節し、前記カメラで撮影する過程で前記カメラの焦点と解像度を調節する段階を含むことを特徴とする、請求項４に記載の光変調器における変位差を補償するためのラインプロファイルを生成する方法。
【請求項６】
前記２次元映像を獲得する段階は、
前記表示されたテストチャートの解像度と前記カメラの解像度とが異なる場合、前記獲得された２次元映像の水平ラインの数を、前記表示されたテストチャートの水平ラインの数に合わせて前記２次元映像を再構成する段階をさらに含むことを特徴とする、請求項４に記載の光変調器における変位差を補償するためのラインプロファイルを生成する方法。
【請求項７】
前記２次元映像を獲得する段階は、
前記再構成された２次元映像に対して所定の特性を持つカメラ較正曲線を適用して前記カメラの特性による影響を排除する段階をさらに含むことを特徴とする、請求項６に記載の光変調器における変位差を補償するためのラインプロファイルを生成する方法。
【請求項８】
前記カメラ較正曲線は、
所定のテストチャートに対して分光光度計を用いて測定した輝度値と、カメラで撮影したデジタル値との相関関係を示すことを特徴とする、請求項７に記載の光変調器における変位差を補償するためのラインプロファイルを生成する方法。
【請求項９】
前記多数個の領域への分割は、
自動映像分割技法を用いた分割を含むことを特徴とする、請求項７に記載の光変調器における変位差を補償するためのラインプロファイルを生成する方法。
【請求項１０】
前記ラインプロファイルを生成する段階は、
前記生成されたラインプロファイルに対して当てはめ過程を行ってノイズを低減させる段階を含むことを特徴とする、請求項７に記載の光変調器における変位差を補償するためのラインプロファイルを生成する方法。
【請求項１１】
前記ラインプロファイルは、
前記１次元光変調器に入力される階調値と、前記１次元光変調器によって出力される光の強度値との関係を前記テストチャートの縦ピクセル番号別に構成したグラフで示されることを特徴とする、請求項７に記載の光変調器における変位差を補償するためのラインプロファイルを生成する方法。
【請求項１２】
前記ラインプロファイルを用いて、前記２次元映像に発生するラインアーチファクトの防止に用いられるルックアップテーブルを生成する段階をさらに含むことを特徴とする、請求項１に記載の光変調器における変位差を補償するためのラインプロファイルを生成する方法。
【請求項１３】
光変調器に入力される光を前記ルックアップデーブルにより変調することによって、入力映像をディスプレイする段階をさらに含むことを特徴とする、請求項１２に記載の光変調器における変位差を補償するためのラインプロファイルを生成する方法。
【請求項１４】
光変調器での変位差を補償するためのラインプロファイルおよび入力映像によって前記変調器に入力される光を変調する段階、および
前記変調された光をスクリーンにディスプレイする段階を含むことを特徴とする、ディスプレイ方法。
【請求項１５】
一定の階調間隔に配列された所定個数のパッチで構成されるテストチャートを設計する段階、および
前記設計されたテストチャートを１次元光変調器にディスプレイし、前記ディスプレイされたテストチャートをカメラで撮影し２次元映像を獲得する段階をさらに含むことを特徴とする、請求項１４に記載のディスプレイ方法。
【請求項１６】
ディスプレイされたテストチャートを撮影し獲得された２次元映像を多数個の領域に分割し、前記分割された領域の水平ライン毎に光強度の平均値を算出する段階、および
前記算出された平均値を用いて前記各水平ラインに対してラインプロファイルを生成する段階をさらに含むことを特徴とする、請求項１５に記載のディスプレイ方法。
【請求項１７】
ディスプレイされたテストチャートを撮影し獲得された２次元映像を多数個の領域に分割し、前記分割された猟奇の水平ライン毎に光強度の平均値を算出する段階、および
前記算出された平均値を用いて前記  各水平ラインに対してラインプロファイルを生成する段階をさらに含むことを特徴とする、請求項１４に記載のディスプレイ方法。
【請求項１８】
光を生成する光源と、
光変調器と、
スクリーンを通し前記光変調器の出力をスキャンする光スキャナを含み、前記光変調器は、前記光変調器により前記光スキャナに出力される光を制御するラインプロファイルによって前記光源により生成される光を変調することを特徴とする、ディスプレイシステム。
【請求項１９】
一定の階調間隔で配列された所定個数のパッチで構成されるテストチャートを設計するテストチャート設計部、および
前記設計されたテストチャートを１次元光変調器にディスプレイし、前記ディスプレイされたテストチャートをカメラで撮影し２次元映像を獲得する２次元映像獲得部をさらに含むことを特徴とする、請求項１８に記載のディスプレイシステム。
【請求項２０】
前記２次元映像を多数個の領域に分割し、前記分割された領域の各水平ライン毎に光強度の平均値を算出する平均値算出部、および
前記算出された平均値を用いて前記各水平ラインに対してラインプロファイルを生成するラインプロファイル生成部を含むことを特徴とする、請求項１９に記載のディスプレイシステム。
【請求項２１】
ディスプレイされたテストチャートを撮影し獲得された２次元映像を多数の領域に分割し、前記分割された領域の水平ライン毎に光強度の平均値を算出する平均値算出部、および
前記算出された平均値を用いて前記各水平ラインに対してラインプロファイルを生成するラインプロファイル生成部とを含むことを特徴とする、光変調器における変位差を補償するためのラインプロファイルを生成する装置。
【請求項２２】
一定の階調段階で配列された所定個数のパッチで構成されるテストチャートを設計するテストチャート設計部をさらに含むことを特徴とする、光変調器における変位差を補償するためのラインプロファイルを生成する装置。
【請求項２３】
前記テストチャート設計部は、
前記テストチャートを構成する前記パッチの階調別位置による影響が排除されるように前記パッチがランダムに配列されるテストチャートを設計することを特徴とする、請求項２２に記載の光変調器における変位差を補償するためのラインプロファイルを生成する装置。
【請求項２４】
前記設計されたテストチャートを１次元光変調器でディスプレイし、前記ディスプレイされたテストチャートをカメラで撮影し２次元映像を獲得する２次元映像獲得部をさらに含むことを特徴とする、請求項２１に記載の  光変調器における変位差を補償するためのラインプロファイルを生成する装置。
【請求項２５】
前記２次元映像獲得部は、
前記テストチャートを表示する過程でディスプレイ素子の駆動電圧を調節し、前記カメラで撮影する過程で前記カメラの焦点と解像度を調節することを特徴とする、請求項２４に記載の光変調器における変位差を補償するためのラインプロファイルを生成する装置。
【請求項２６】
前記２次元映像獲得部は、
前記表示されたテストチャートの解像度と前記カメラの解像度とが異なる場合、前記獲得された２次元映像の水平ラインの数を前記表示されたテストチャートの水平ラインの数に合わせて前記２次元映像を再構成することを特徴とする、請求項２４に記載の光変調器における変位差を補償するためのラインプロファイルを生成する装置。
【請求項２７】
前記２次元映像獲得部は、
前記再構成された２次元映像に対して所定の特性を持つカメラ較正曲線を適用して前記カメラの特性による影響を排除することを特徴とする、請求項２６に記載の光変調器における変位差を補償するためのラインプロファイルを生成する装置。
【請求項２８】
前記カメラ較正曲線は、
所定のテストチャートに対して分光光度計を用いて測定した輝度値と、カメラで撮影したデジタル値との相関関係を示すことを特徴とする、請求項２７に記載の光変調器における変位差を補償するためのラインプロファイルを生成する装置。
【請求項２９】
前記平均値算出部は、
自動映像分割技法を用いて前記２次元映像を多数の領域に分割することを特徴とする、請求項２７に記載の光変調器における変位差を補償するためのラインプロファイルを生成する装置。
【請求項３０】
前記ラインプロファイル生成部は、
前記生成されたラインプロファイルに対して当てはめ過程を行ってノイズを低減させることを特徴とする、請求項２７に記載の光変調器における変位差を補償するためのラインプロファイルを生成する装置。
【請求項３１】
前記ラインプロファイルは、
前記１次元光変調器に入力される階調値と前記１次元光変調器によって出力される光の強度値との関係を前記テストチャートの縦ピクセル番号別に構成したグラフで示されることを特徴とする、請求項２７に記載の光変調器における変位差を補償するためのラインプロファイルを生成する装置。
【請求項３２】
前記ラインプロファイルを用いて、前記２次元映像に発生するラインアーチファクトを補償するルックアップテーブルを生成するルックアップテーブル生成部をさらに含むことを特徴とする、請求項２１に記載の光変調器における変位差を補償するためのラインプロファイルを生成する装置。
【請求項３３】
入力映像および前記ルックアップテーブルにより前期光変調器に入力される光を変調することによって、スクリーンを通し前記光変調器の出力をスキャンする光スキャナをさらに含むことを特徴とする、請求項２１に記載の光変調器における変位差を補償するためのラインプロファイルを生成する装置。
【請求項３４】
請求項１に記載の方法をコンピュータで実行するためのプログラムコードを記録したコンピュータで読み取ることが可能な記録媒体。
【請求項３５】
請求項１４に記載の方法をコンピュータで実行するためのプログラムコードを記録したコンピュータで読み取ることが可能な記録媒体。
【発明の詳細な説明】
【技術分野】
【０００１】
本発明は、光変調器における変位差を補償する技術に係り、より詳しくは、光変調器における変位差を補償するためのラインプロファイルを生成する方法及び装置に関するものである。
【背景技術】
【０００２】
一般に、光信号処理は、多量のデータの実時間処理が不可能な既存のデジタル情報処理とは異なり、高速性、並列処理能力及び大容量情報処理の利点を持っており、空間光変調理論を用いて二進位相フィルタの設計及び製作、光論理ゲート、光増幅器、映像処理技法、光素子、光変調器などについての研究が行われている。中でも、光変調器が光メモリや光ディスプレイ、プリンタ、光インターコネクション、ホログラムなどの分野に採用されており、この光変調器を用いた光ビームスキャニング装置の研究開発が盛んに行われている。
【０００３】
このような光ビームスキャニング装置は、画像形成装置（例えば、レーザプリンタ、ＬＥＤプリンタ、電子写真複写機）で光ビームをスキャニングして感光媒体にスポットさせて画像イメージを結像させる役割をする。最近では、プロジェクションＴＶなどが開発されるにつれて、映像ディスプレイにビームを照射する手段として光ビームスキャニング装置が用いられている。
【０００４】
前記光ビームスキャニング装置には、光の回折方式によって映像を表示する１次元光変調器が用いられている。ところが、前記光変調器の製造および工程上で発生する光学素子の微細なミスアラインメントにより１次元アレイを構成する格子の変位差が発生し、これにより映像を表示するときに水平方向にラインアーチファクト（Ａｒｔｉｆａｃｔ）が発生するという問題点がある。
【特許文献１】米国特許第６，９８４，０３９号公報
【発明の開示】
【発明が解決しようとする課題】
【０００５】
そこで、本発明はこのような問題点に鑑みてなされたもので、その目的とするところは、テストチャートをカメラで撮影して獲得された２次元映像を用いてラインプロファイルを生成し、これを用いてディスプレイ映像のラインアーチファクトを補償するルックアップテーブルを生成することにより、映像の画質を向上させることが可能な、光変調器における変位差を補償するためのラインプロファイルを生成する方法及び装置を提供することにある。
【０００６】
本発明の目的は以上で言及した目的に制限されず、言及されていない別の目的は下記の記載から当業者に明確に理解できるであろう。
【課題を解決するための手段】
【０００７】
上記目的を達成するために、本発明によるラインプロファイルを生成する方法は、ディスプレイされたテストチャートを撮影し、獲得された２次元映像を多数この領域に分割し、前記分割された領域の水平ライン毎に光強度の平均値を算出する段階、および前記算出された平均値を用いて前記各水平ラインに対してラインプロファイルを生成する段階を含む。
【０００８】
また、本発明の一実施形態によるディスプレイ方法は、光変調器での変位差を補償するためのラインプロファイルおよび入力映像によって前記光変調器に入力される光を変調する段階、および前記変調された光をスクリーンにディスプレイする段階を含む。
【０００９】
また、本発明の一実施例による光変調器での変位差を補償するためのラインプロファイルを生成する装置は、ディスプレイされたテストチャートを撮影し獲得された２次元映像を多数個の領域に分割し前記分割された領域の各水平ライン毎に光強度の平均値を算出する平均値算出部、および前記算出された平均値を用いて前記各水平ラインに対してラインプロファイルを生成するラインプロファイル生成部を含む。
【００１０】
その他の実施例の具体的な事項は、詳細な説明及び図面に含まれている。本発明の利点及び特徴、並びにそれらを達成する方法は、添付図面と共に詳細に後述されている実施例を参照すれば明確になるであろう。ところが、本発明は、下記に開示される実施例に限定されるのではなく、互いに異なる様々な形態で実現できる。但し、これらの実施例は、本発明の開示を完全にし、本発明の属する技術分野における通常の知識を有する者に発明の範疇を完全に知らせるために提供されるものであり、本発明は、特許請求の範囲の範疇によって定められるべきである。明細書全体にわたって、同一の参照符号は同一の構成要素を示す。
【発明の効果】
【００１１】
本発明の実施例によれば、テストチャートをカメラで撮影して獲得された２次元映像を用いてラインプロファイルを生成し、これを用いてディスプレイ映像のラインアーチファクトを補償するルックアップテーブルを生成することにより、ディスプレイ映像のラインアーチファクトを減少させて映像の画質を向上させることができる。
【００１２】
本発明の効果は以上で言及した効果に制限されず、言及されていないさらに他の効果は、請求の範囲の記載から当業者に明確に理解できるであろう。
【発明を実施するための最良の形態】
【００１３】
以下、本発明の好適な実施例によって予め定義された、光変調器における変位差を補償するためのラインプロファイルを生成する方法及び装置を説明するためのブロック図または流れ図を参照してより詳細に説明する。
【００１４】
図１は本発明の一実施例に係る光変調器を用いるディスプレイ装置の構成を示す図である。
図１を参照すると、光変調器を用いるディスプレイ装置は、レーザダイオード１１０、光変調器１２０及び光スキャナ１３０を含んでいる。
【００１５】
レーザダイオード１１０は、光通信、光メモリ及び光情報処理分野に広く用いられる素子であって、ｐ−ｎ接合を介在させ、ｐ−ｎ接合付近の領域を励起してレーザを発振させる。レーザダイオード１１０によって発振されたレーザは光変調器１２０に入力される。光変調器１２０は、光の回折性質を用いて、前記発振されたレーザに入力映像信号をのせて変調する役割をする。光スキャナ１３０は、光変調器１２０から入力された映像信号を被スキャニング装置１４０に走査する。１回に１本の垂直ラインを被スキャニング装置１４０の左側から右側に連続的にスキャニングすることにより、一つのフレームを形成する。
【００１６】
ところが、前記光変調器１２０の１次元アレイを構成するそれぞれの格子は、前記フレームにおける１本の水平ラインに相当するが、前記１次元アレイを構成する格子の変位差により、被スキャニング装置１４０に走査されるフレームの水平方向にラインアーチファクトが発生する。このようなラインアーチファクトを補償するために、光変調器１２０の特性を示すラインプロファイルを生成する方法の全体流れを図２を参照して説明する。
【００１７】
図２は本発明の一実施例に係るラインプロファイルを生成する方法の全体流れを示す図である。
まず、光変調器１２０の階調別光強度を測定するために、多数のパッチからなるテストチャートを設計しなければならない。すなわち、一定の階調間隔で配列された所定の個数のパッチからなるテストチャートを設計する（Ｓ２０２）。図３は前記のような方式で設計されたテストチャート３１０を示す。前記テストチャート３１０を構成する前記パッチが階調別位置による影響を受けないようにするために、前記パッチを元の階調順序の通りに配列せずにランダムに配列することにより、再配列されたテストチャート３２０を生成する（Ｓ２０４）。
【００１８】
前記Ｓ２０４段階で設計された、再配列されたテストチャート３２０を１次元光変調器１２０で表示し、前記表示されたテストチャートをカメラで撮影して２次元デジタル映像を獲得するが（Ｓ２０６）、図４の左側に前記２次元デジタル映像４１０の例が示されている。前記テストチャート３２０を表示する過程で主に階調の低い部分と階調の高い部分でクリッピングが発生する傾向があるが、前記クリッピングが発生しないながらも有効範囲を最も大きく確保するために、ディスプレイ素子の駆動電圧を調節する必要がある。そして、前記カメラで撮影する過程では、前記カメラの焦点と解像度を調節し、自動焦点機能及び自動ホワイトバランス機能をオフする。
【００１９】
前記表示されたテストチャート３２０の解像度と前記カメラの解像度とが異なる場合、前記獲得された２次元映像４１０の水平ラインの数を前記表示されたテストチャート３２０の水平ラインの数に合わせて前記２次元映像を再構成する（Ｓ２０８）。
【００２０】
前記カメラで撮影されたテストチャートの２次元映像を再構成する過程が図４に示されている。図４を参照して例を挙げると、ディスプレイ解像度４８０×６４０のテストチャートを解像度４８００×２５００のカメラで撮影した場合、１０本の水平ラインが元のテストチャートの１本の水平ラインに相当する。したがって、前記４８０×６４０のテストチャートを表示する場合にラインアーチファクトが発生する４８０本の水平ラインのうち１本の水平ラインに対応する１０本の水平ラインの位置を、前記カメラで撮影して獲得した４８００×２５００の２次元映像４１０において追跡して、その１０本の水平ラインの平均値を計算することにより、再構成された２次元映像４２０を得ることができる。この際、前記再構成された２次元映像４２０の縦ピクセル数は、前記カメラで撮影された２次元映像４１０の縦ピクセル数に比べて１０分の１に減少したが、横ピクセル数は変わりがないことが分かる。
前記再構成された２次元映像４２０に対して所定の特性を持つカメラ較正曲線を適用することにより、前記カメラが持つ特性による影響を排除することができる（Ｓ２１０）。図５ａは本発明の一実施例に係るカメラ較正曲線を生成する過程を示す図である。図５ｂは図５ａの過程を経て生成されたカメラ較正曲線を示す図である。
【００２１】
図５ａのように一定の階調間隔で配列されたテストチャートプリントの輝度値を分光光度計を用いて測定するが、本発明の実施例では、分光光度計としてＧｒｅｔａｇ  ＭａｃＢｅｔｈを採用した。前記テストチャートプリントをカメラで撮影した後、各パッチの中央の四角形部分の平均値を計算してデジタル値を獲得した後、前記分光光度計を用いて得た輝度値を縦軸とし、前記デジタル値を横軸として配列することにより、図５ｂに示したカメラ較正曲線グラフを生成することができる。前記グラフにおいて、ガンマー値は１．４８とした。これにより、前記カメラによる特性が排除されるラインプロファイルを生成することができる。
【００２２】
その後、前記カメラ較正曲線が適用された２次元映像４２０を多数の領域に分割し、前記分割された領域の水平ライン毎に光強度の平均値を算出する（Ｓ２１２）。図６は水平ライン別光強度の平均値を算出するために分割された２次元映像を示す図である。前記２次元映像４２０のエッジ部分に一般に階調変化が大きく現われるので、自動映像分割技法を用いて前記２次元映像４２０を多数の領域に分割し、前記分割された領域６１０で各水平ライン別平均値を計算して階調別光強度の平均値を抽出する。
【００２３】
次に、前記算出された光強度の平均値を用いて前記各水平ラインに対してラインプロファイルを生成する（Ｓ２１４）。この際、前記生成されたラインプロファイルに対して多項式曲線の当てはめ又はスプラインの当てはめ過程（fitting）を行ってノイズを低減させ、補間法によってデータを補完することができる。
【００２４】
図７は本発明の一実施例に係るラインプロファイルをグラフで示した図である。前記ラインプロファイルを示すグラフを考察すると、前記１次元光変調器に入力される階調値と、図６で算出された光強度の平均値との関係を、図４における２次元映像４２０の縦ピクセルの個数（全て４８０個）に対してそれぞれ示していることが分かる。
【００２５】
図７を考察すると、全て４８０個の縦ピクセル番号に対して３次元立体形状を持ったグラフ（７１０）または４８０個のグラフのうち、代表的な１０個のピクセル番号（３０、８０、１３０、１８０、２３０、２８０、３３０、３８０、４３０、４８０）に対してのみ抽出した２次元グラフ（７２０）が示されていることが分かる。前記グラフ（７１０、７２０）を考察すると、各４８０本のラインが互いに異なる大きさと位相を持っていることが分かり、入力階調値の両端部分（例えばホワイト領域とブラック領域）では階調の反転が起こるが、入力階調値の中間領域では直線的に増加していることが分かる。
【００２６】
最後に、前記ラインプロファイルを用いて、前記２次元映像４２０で発生するラインアーチファクトを補償するルックアップテーブル（ＬＵＴ）を生成することができる（Ｓ２１６）。前記ルックアップテーブルを生成する方式の一実施例として、前記ラインプロファイルの最大の明るさと最小の明るさを再現する階調値を求め、前記ラインプロファイルの区間別スロープとオフセット値を計算する方式を挙げることができる。ところが、このような方式に限定されるものではない。
【００２７】
図８は本発明の一実施例に係るラインプロファイルを用いてイメージを矯正する前と後の様子を比較した図である。図８の上端に示した絵（８１０）は元のテストチャートであり、中間に示した絵（８２０）はカメラで撮影して獲得した２次元映像であり、下端に示した絵（８３０）は本発明の一実施例によって生成されたラインプロファイルの特性を用いてラインアーチファクトを補償した後の映像である。この絵（８３０）に示すように、横方向に存在していたラインアーチファクトが相当部分除去されていることが分かる。
【００２８】
図９は本発明の一実施例に係るラインプロファイルを生成する装置の全体構成を示す図である。図９を参照すると、テストチャート設計部９１０、２次元映像獲得部９２０、平均値算出部９３０及びラインプロファイル生成部９４０を含んでいる。
【００２９】
テストチャート設計部９１０は、一定の階調間隔で配列された所定の個数のパッチからなるテストチャートを設計する。２次元映像獲得部９２０は、前記設計されたテストチャートを１次元光変調器で表示し、前記表示されたテストチャートをカメラで撮影して２次元映像を獲得する。
【００３０】
平均値算出部９３０は、前記２次元映像を多数の領域に分割し、前記分割された領域の水平ライン毎に光強度の平均値を算出し、ラインプロファイル生成部９４０は、前記算出された平均値を用いて前記各水平ラインに対してラインプロファイルを生成する。
【００３１】
ルックアップテーブル生成部（図示せず）は、前記ラインプロファイルを用いて、前記２次元映像に発生するラインアーチファクトを補償するルックアップテーブルを生成することができる。
【００３２】
一方、本発明は、モバイルプロジェクター、ミニプロジェクター、プロジェクションＴＶなどの１次元光変調器を用いるディスプレイ装置への適用が可能である。
【００３３】
上記のような本発明の図９に示される構成要素として、「〜部」という用語は、ソフトウェア構成要素、またはＦＰＧＡ（フィールドプログラマブルゲートアレイ）や注文型半導体（ＡＳＩＣ）などのハードウェア構成要素を意味し、ある機能を行う。ところが、ソフトウェアまたはハードウェアに限定される意味ではない。前記構成要素は、アドレシング可能な記憶媒体にあるように構成されてもよく、一つまたはそれ以上のプロセッサを再生させるように構成されてもよい。したがって、一例として、前記構成要素は、ソフトウェア構成要素、客体指向ソフトウェア構成要素、カラス構成要素及びタスク構成要素などの構成要素と、プロセス、関数、属性、プロシージャー、サブルーチン、プログラムコードのセグメント、ドライバー、ファームウェア、マイクロコード、回路、データ、データベース、データ構造、テーブル、アレイ及び変数を含む。前記構成要素が提供する機能は、さらに少ない数の構成要素に結合されてもよく、追加的な構成要素にさらに分離されてもよい。それだけでなく、前記構成要素は、デバイス内の１つまたはそれ以上のＣＰＵを再生させるように実現されてもよい。
【００３４】
本発明の実施例に係る、光変調器における変位差を補償するためのラインプロファイルを生成する装置の権利範囲が、前記のような方法をコンピュータで実行するためのプログラムコードを記録したコンピュータで読み取ることが可能な記録媒体にも及ぶのは、当業者には自明なことである。
【００３５】
以上、添付図面を参照しながら本発明の実施例を説明したが、本発明の属する技術分野における通常の知識を有する者は、本発明の技術的思想または必須的な特徴を逸脱しない範囲内において種々置換、変形及び変更が可能なので、他の具体的な形態で実施できることを理解することができるであろう。したがって、以上述べた実施例は、全ての面で例示的なもので、限定的ものではないと理解すべきである。本発明の範囲は、前記詳細な説明よりは特許請求の範囲によって定められるべきであり、特許請求の範囲の意味及び範囲、並ぶにその均等概念から導出される全ての変更または変形形態が本発明の範囲に含まれるものと解釈されるべきである。
【図面の簡単な説明】
【００３６】
【図１】本発明の一実施例に係る光変調器を使用するディスプレイ装置の構成を示す図である。
【図２】本発明の一実施例に係るラインプロファイルを生成する方法の全体流れを示す図である。
【図３】本発明の一実施例に係るテストチャートを構成するパッチをランダムに配列する過程を示す図である。
【図４】カメラで撮影されたテストチャートの２次元映像を再構成する過程を示す図である。
【図５ａ】本発明の一実施例に係るカメラ較正曲線を生成する過程を示す図である。
【図５ｂ】図５ａの過程を経て生成されたカメラ較正曲線を示す図である。
【図６】水平ライン別光強度の平均値を算出するために分割された２次元映像を示す図である。
【図７】本発明の一実施例に係るラインプロファイルをグラフで表現した図である。
【図８】本発明の一実施例に係るラインプロファイルを用いてイメージを矯正する前と後の様子を比較した図である。
【図９】本発明の一実施例に係るラインプロファイルを生成する装置の全体構成を示す図である。
【符号の説明】
【００３７】
９１０      テストチャート設計部
９２０      ２次元映像獲得部
９３０      平均値算出部
９４０      ラインプロファイル生成部
【図１】
2007334349.tif 000003
【図２】
2007334349.tif 000004
【図３】
2007334349.tif 000005
【図４】
2007334349.tif 000006
【図５ａ】
2007334349.tif 000007
【図５ｂ】
2007334349.tif 000008
【図６】
2007334349.tif 000009
【図７】
2007334349.tif 000010
【図８】
2007334349.tif 000011
【図９】
2007334349.tif 000012